(57)【要約】  本発明はデジタル放送環境においてインターネットに連結された遠隔地サーバのＵＲＬ住所をデータ放送コンテンツに製作して放送することで、視聴者が希望する時にデータ放送の媒介を通じて遠隔地サーバに保存された詳細情報(第２次情報)を検索できるように必要な要素を構成、伝達、加工および製作する方法に関する。  本発明はプログラム製作者或いは広告主がプログラムまたは広告を製作する段階でデジタル映像信号の特定の領域に詳細情報または詳細広告を包含しているサーバの住所(ＵＲＬ)など必要な情報、つまり２次情報タグを入力する段階と、そのような過程によって製作された放送或いは広告の素材が一定の場所に伝送/伝達された後、前記２次情報タグを抽出する段階と、抽出した２次情報タグをデータ放送のコンテンツに加工する段階と、加工されたコンテンツが一般的なデータ放送の送出過程の中に含まれ、送出され得るように該当システムへ伝達される過程を含めて構成されており、各段階では必要なシステム構成の方法を提示している。  本発明は視聴者が放送を見る最初の画面で特定の形態で表示される指定子、つまりインフォメーションマークによって付加的なデータ放送情報が提供されていることを認知し、遠隔地サーバにインターネットを連結して詳細な情報を検索できるようにする。特に、本発明は特定の広告が放送されるときに受信機(リモコン)を操作して、その広告に対する多様な詳細広告が検索できるようにする。また、広告主のインターネットホームページ(http://)をそのまま検索したり、データ放送の規格に合わせて別途に製作した付加情報ホームページが検索できるようにする。広告においてこのような方法は双方向(インタラクティブ)広告技法として提示され得る。【選択図】図１
2008522456.tif 000002
【特許請求の範囲】
【請求項１】
デジタル放送を提供するデジタル放送環境において連動型データ放送をインターネット領域に拡張して双方向情報を提供する方法であって、
(ａ)データ放送と関係した第２次情報を呼び出すことのできる第２次情報タグをデータ放送プロトコルによってデータ放送用コンテンツに変換する段階と、
(ｂ)前記段階(ａ)で変換された前記第２次情報タグをデジタル放送ストリームのデータ放送領域に装入させる段階と、
(ｃ)前記第２次情報タグが装入されたタグデジタル放送ストリームを送出して、任意のデジタル放送受信機または任意の個人用コンピュータで受信/視聴するようにする段階と、
(ｄ)前記タグデジタル放送ストリームが受信された前記デジタル放送受信機または前記個人用コンピュータから前記第２情報の要請がある場合、第２次情報サーバと前記デジタル放送受信機または前記個人用コンピュータとが通信網で連結され、前記第２次情報サーバは前記デジタル放送受信機または前記個人用コンピュータに前記第２次情報を伝送する段階と、
を備えることを特徴とするデジタル放送環境において連動型データ放送をインターネット領域に拡張して双方向情報を提供する方法。
【請求項２】
前記デジタル放送は、地上波デジタル放送、衛星波デジタル放送、ケーブルＴＶデジタル放送、地上波移動マルチメディア放送、および衛星波移動マルチメディア放送のうち一つ以上を含むことを特徴とする請求項１に記載のデジタル放送環境において連動型データ放送をインターネット領域に拡張して双方向情報を提供する方法。
【請求項３】
前記第２次情報タグは、前記デジタル放送ストリームが送出段階に至る前の製作段階でシリアルデジタル信号(ＳＤＩ)の水平および垂直補助データ領域に装入されることを特徴とする請求項１に記載のデジタル放送環境において連動型データ放送をインターネット領域に拡張して双方向情報を提供する方法。
【請求項４】
前記第２次情報タグは、前記第２次情報の存在の有無を知らせる第２次情報フラッグ、第２次情報の代表名、前記第２次情報サーバのインターネットホームページの住所、前記第２次情報サーバの付加情報ホームページの住所、および一連番号のうち一つ以上を含むことを特徴とする請求項１又は請求項３に記載のデジタル放送環境において連動型データ放送をインターネット領域に拡張して双方向情報を提供する方法。
【請求項５】
前記第２次情報タグは多数のオーディオチャンネルのうち一つに用意に装入されるが、前記製作段階は、
(ｅ)前記第２次情報タグをシリアルデジタルオーディオ信号の規格に変換する段階と、
(ｆ)前記シリアルデジタルオーディオ信号の規格に変換された前記第２次情報タグをシリアルデジタル信号の補助データ領域に埋め込む(embedding)段階と、
を備えることを特徴とする請求項３に記載のデジタル放送環境において連動型データ放送をインターネット領域に拡張して双方向情報を提供する方法。
【請求項６】
前記段階(ａ)でコーディングされる前記第２次情報タグは前記シリアルデジタル信号の前記補助データ領域から抽出されることを特徴とする請求項５に記載のデジタル放送環境において連動型データ放送をインターネット領域に拡張して双方向情報を提供する方法。
【請求項７】
前記段階(ｃ)で前記第２次情報タグが装入された前記データ放送ストリームはデジタル放送ビデオおよびオーディオストリームと多重化されて送出されることを特徴とする請求項１に記載のデジタル放送環境において連動型データ放送をインターネット領域に拡張して双方向情報を提供する方法。
【請求項８】
前記段階(ａ)における前記データ放送用コンテンツへの変換は、
前記デジタル放送受信機または前記個人用コンピュータで任意のデジタル放送または前記第２次情報タグが含まれたデジタル放送を前記最初の画面を通じて視聴している途中にデータ放送を呼び出した場合、前記デジタル放送データストリームの中で前記データ放送領域に保存された前記第２次情報タグを解読して、前記最初の画面に第２次情報の代表名を表す第２次情報代表名の指定子をディスプレイし、前記第２次情報代表名の指定子の付属指定子の‘インターネットホーム’指定子または/および‘付加情報ホーム’指定子を前記第２次情報代表名の指定子の下に表し、前記デジタル放送受信機または前記個人用コンピュータから前記第２情報の要請がある場合、第２次情報所在の住所に連係された通信網を介して前記第２次情報サーバに接続し前記第２次情報をアクセスして、その内容を２次画面または３次画面に表すように著作して記述することを特徴とする請求項１に記載のデジタル放送環境において連動型データ放送をインターネット領域に拡張して双方向情報を提供する方法。
【請求項９】
前記最初の画面と共にディスプレイされる指定子は第２次情報代表名の指定子と、インターネットホーム指定子または/および付加情報ホームの指定子として、第２次情報の代表名を選択するディスクリプタ(script_ｍ)、第２次情報を提供するインターネットホームページの住所に接続するディスクリプタ(script_si)、そして付加情報ホームページの住所に接続するディスクリプタ(script_sd)によって定義され、これらのうち一つ以上を含むことを特徴とする請求項８に記載のデジタル放送環境において連動型データ放送をインターネット領域に拡張して双方向情報を提供する方法。
【発明の詳細な説明】
【技術分野】
【０００１】
本発明はデジタル放送環境下において双方向の広告及び詳細な情報(これを‘第２次情報’と称する)を提供する方法、及びこのための放送システムの構成に関する。
【０００２】
より詳細には、デジタル放送受像機の最初の画面(放送画面)に第２次情報、即ちデータ放送情報の存在を知らせる象徴化した図形または記号として指定子（アイコン）を提供し、視聴者が前記指定子を選択した時、それから１次画面、また同じ方式で１次画面から指定子の選択によって２次画面に転換して、視聴者が前記第２次情報を呼び出す場合、連係した通信網に接続されているサーバから第２次情報を持ち込み、デジタル放送受信機に提供する第２次情報の提供技法と、これを実現するための放送システムに関するものである。
【背景技術】
【０００３】
データ放送とは放送事業者のチャンネルを用いて文字、数字、図形、図表やイメージ、その他の情報データを主にして、これに従う映像、音声、音響、およびこれらの組み合いからなる放送プログラムを送信することを意味する。データ放送にはプログラムの映像または音声と連結/連動して放送される連動型データ放送と、別途の内容からなる独立型データ放送とがある。
【０００４】
前記‘最初の画面’とは当該テレビジョン放送プログラムが放送される画面を、‘１次画面’は最初の画面から接続(指定子の選択)によって移動した初期の画面を、‘２次画面’は１次画面から接続によって移動した画面を意味する。そして、‘指定子’は最初の画面の映像または記号ばかりでなく、１次画面、２次画面など連結されて現れる画面で第２次情報とのハイパーリンクを提供するためのアイコンまたは選択子を意味する。
【０００５】
従来のアナログテレビジョン広告の場合、放送社と視聴者の間における双方向サービスやインターネット検索サービスはアナログ放送の技術的な限界のため実現できなかった。
垂直帰線時間(VBI：vertical blanking interval)の中で幾つの走査線を用いてデータサービスを行っていたが、少量の文字情報を提供する水準であって電話線のモデムを用いたインターネットデータの検索は活性化されていなかった。
【０００６】
したがって、アナログ放送環境において視聴者は放送社が一方向に送信する放送信号を受信して、最初の画面で放送プログラムや広告を視聴する範囲から外れず、従来の技術における放送広告は約２０秒の短い間に視聴者に見られるものが全部であった。
【０００７】
そして、デジタル放送においては映像の垂直帰線時間(VBI)を放送社が視聴者に付加情報を提供するチャンネルとしてもう使用することができない。放送の最終の送出段階、即ち映像を圧縮する過程で垂直帰線時間のデータが特定の一部を除いて全て無視されているからである。
【０００８】
デジタル放送受信機は一般的に通信ネットワークの接続が可能なように通信モデム又はネットワークインタフェース装置(NIC：Network Interface Card)が備えられている。
それで通信モデムやネットワーク装置を用いたインターネットの接続が多様に試されているが、その使用形態は受信機に必要なプログラムやゲームのためのファイル、またはデータをダウンするなどの単純な水準の活用に留まっている。
【０００９】
また他の形態として、インターネットサーバの情報を検索するための試しも行われているが、受信機の電源供給と同時に実行されているデータ放送のミドルウェアをＴＣＰ/ＩＰベースのミドルウェアに代替し、インターネット検索ブラウザを実行して検索する方法を取っているため、一般的な受信機のデータ放送ミドルウェアの環境が効果的に活用されてない。これは深刻なシステムエラの発生可能性と、長時間のプログラム更新時間を伴う。
【００１０】
一方、放送社が視聴者に付加情報を送る通路としてデータ放送ストリームの領域はその伝送容量が１メガビピエス(Mbps)未満に極少であり、ウィンドウズ（登録商標）環境の多様なマルチメディア情報を視聴者に提供するためには非常に足りなかった。  
【００１１】
ところが、受信機のネットワークインタフェース装置(NIC)と連結されたバックボーンチャンネルは超高速通信網や広大域通信網など、高速の有線または無線網に接続されているため、その分高い伝送容量を視聴者に提供して狭小なデータ放送ストリーム領域を克服することができる。また、図１１に示すような世界各国のデータ放送プロトコルは情報を検索、記述、表現する階層の構造を規定して、双方向情報を交換するツールを提供している。
【発明の開示】
【発明が解決しようとする課題】
【００１２】
したがって、本発明は上記の問題点を解決するために案出されたもので、第２次情報または詳細な広告が検索可能なインターネットサーバの住所(URL：Uniform Resource Locator)を放送の製作段階および/または送出段階で挿入してデータ放送コンテンツに送出し、放送を視聴していた視聴者が一般的なデータ放送の検索方法で必要な指定子(アイコン)を選択して前記URLを呼び出し、遠隔地サーバに接続して有線の超高速通信網または広大域通信網、或いは無線通信網を介した大量の情報を放送受信機を介して提供されることのできる双方向通信方法を提供する。
【００１３】
即ち、本発明の第１目的は、デジタル放送環境において連動型データ放送をインターネット領域に拡張する方法およびそのシステムを提供することにある。視聴者は一般的に放送受信機やコンピュータを用いて本発明の結果を実現することができる。
【００１４】
さらに、本発明の第２目的はデジタルＴＶ放送環境において放送広告と連動型データ放送の効果を増大することにある。
【００１５】
本発明の第３目的は第２次情報または詳細な広告が検索可能な通信ネットワーク上のサーバＵＲＬを、広告主やプログラム製作者からデータ放送コンテンツを著作したり製作および送出する装置に効率的に伝達することにある。
【課題を解決するための手段】
【００１６】
上記目的を達成するために、デジタル放送環境において広告を含めた第２次情報を視聴者に提供する方法であって、デジタル放送社が送出するデジタル放送ストリームの中のデータ領域に前記第２次情報を呼び出すことのできる第２次情報タグを装入させ、デジタル放送の送出時に共に送出し、前記視聴者が前記デジタル放送を視聴する途中にデジタル放送受信機または個人用コンピュータのモニターにディスプレイされる指定子を選択して第２次情報を要請する場合、前記デジタル放送が連係されている通信網を介して前記第２次情報サーバから第２次情報を持ち込み、前記モニターに表出させて前記視聴者に第２次情報を提供する方法を提供することによってインタラクティブ広告を実現し、連動型データ放送をインターネット領域に拡張する。
【発明を実施するための最良の形態】
【００１７】
以下、添付の図面を参照して本発明の好適な実施例について詳細に説明する。
【００１８】
さて、以下ではデジタルＴＶ受信機のセットトップボックスまたはインターネットブラウザを備えた個人用コンピュータを介してデジタル放送を受信していることを前提にして詳述するが、必ずこれに限定する必要はなく、移動携帯電話などを介した移動マルチメディア放送またはデジタルオーディオ放送、デジタルラジオ放送受信の場合にも同一の方式で適用可能である。
【００１９】
図１は本発明に係る第２次情報タグを広告主やプログラム製作者からデータ放送コンテンツの著作段階に伝達して、前記タグを連動型データ放送コンテンツに加工して送出する全体の過程を示した図面である。
【００２０】
図１を参照すると、放送プログラムまたは放送広告の制作段階の非圧縮シリアルデジタル信号(SDI：serial digital interface)に第２次情報タグを第２次情報タグ入力装置１０および挿入装置２０を用いて入力する。この際、第２次情報タグは第２次情報フラッグ、第２次情報サーバの住所(ＵＲＬ)、第２次情報の代表名、一連番号を含めて構成される。
【００２１】
ここで、本発明の好ましい実施例として、前記第２次情報タグがシリアルデジタル信号（SDI）に装入される所は図２で示した水平補助データ領域(HANC：horizontal ancillary)または垂直補助データ領域(VANC：vertical ancillary)に当たる。
図２を参照すると、EAV(end of active video)とSAV(start of active
video)などの同期ワードを除いて水平帰線期間(HBI：horizontal
blanking interval)を用いたHANC、垂直帰線期間(VBI：vertical blanking interval)を用いたVANCが補助データ空間となる。
本発明の好ましい実施例として、第２次情報タグは上述した補助データ空間に装入させることができる。
【００２２】
本発明に係るシリアルデジタル信号は標準画質(SD：standard definition)および高画質(HD：high definition)のコンポナントデジタル信号として、その詳細な標準の規格は下記の表１の通りである。
【表１】
2008522456.tif 000003
【００２３】
一方、第２次情報タグ入力装置１０を介して入力された情報は第２次情報タグ挿入装置２０を介してシリアルデジタル放送信号ＳＤＩ(ａ)に挿入され、タグが内装された非圧縮信号ＳＤＩ(ｂ)はＶＣＲテープ３０に記録されるかコンピュータサーバ４０に記録され、伝送網またはネットワークを介して送出する所へ伝達/伝送される。
【００２４】
ＶＣＲテープ５０やコンピュータサーバ６０に保存されたファイルは第２次情報タグ抽出装置７０に送られ、ここで第２次情報フラッグ、第２次情報サーバの住所、第２次情報の代表名、一連番号などが抽出され、第２次情報タグ加工装置８０に送られる。第２次情報タグ加工装置８０は第２次情報タグをデータ放送コンテンツに著作する装置である。
【００２５】
次いで、加工された第２次情報タグはデータ放送統制装置９０およびデータ放送データベース１００に移送される。ここで、第２次情報タグ加工装置８０は第２次情報タグを直接入力されるか、第２次情報タグ抽出装置７０から伝達される。
【表２】
2008522456.tif 000004
【００２６】
一方、本発明に係る第２次情報タグの好ましい実施例として、表２は第２次情報タグのアイテム構成を示している。第２次情報タグは第２次情報フラッグ、２種類の第２次情報サーバの住所、第２次情報の代表名、一連番号を含めて構成されている。
【００２７】
上記の表２で第２次情報フラッグは第２次情報の存在の有無と構成を示す識別子であるが、第２次情報サーバの住所の有無やその種類によって下記の表３のように４つの種類が挙げられる。第２次情報サーバの住所が全てないことを示す２flag(１)の場合、指定子は表示されず、インターネットまたは付加情報ホームページの住所が存在する場合にのみ最初の画面に指定子が表示される。
【表３】
2008522456.tif 000005
【００２８】
第２次情報の内容を有しているサーバ(ホームページ)は一般的なコンピュータを用いて接続するhttpベースのホームページと、データ放送の規格に従うホームページとに区分することができる。デジタル放送専用の受信機のブラウザはデータ放送の規格に従って製作されたホームページのみを検索することができ、パーソナルコンピュータをベースにした受信機はインターネットエクスプローラーなど、インターネット検索ブラウザを用意に利用することができるという特性がある。
【表４】
2008522456.tif 000006
【００２９】
したがって、第２次情報サーバの住所は２種類であって第２次情報の提供者は全ての視聴者が第２次情報を検索できるように２種類のホームページを別途に構成する必要がある。
データ放送の規格に従う付加情報ホームページはその媒体のデータ放送の標準に従ってコーディングされなければならない。
【００３０】
第２次情報の代表名は第２次情報を代表する名前であり、広告の場合は広告名、付加的な第２次情報の場合には検索を考慮した代表名に該当する。一連番号は特に広告の一連番号をタグに包含させ、広告の編集や送出業務を効率化するための部分である。
【００３１】
再び第１を参照すると、第２次情報タグ入力装置１０は第２次情報を入力し、その入力された第２次情報タグを保存装置に入れて管理し、必要時に呼び出してＲＳ２３２/４２２ポートに送り出すことが主な機能である。表２のアイテムをデータベースに構成して管理し、表５に示すように送出時間帯やプログラムを基準にタグをグルーピングして呼び出すか、個別単位で呼び出すことができる。０７２８は０７時２８分に始まるＳＢ(station  break)時間の広告を、ＸＸプログラムは特定のプログラムの広告を例示するための一例を示している。
【表５】
2008522456.tif 000007
【００３２】
図３は本発明に係る第２次情報タグ入力装置と、第２次情報タグ挿入装置の構成の一実施例を示す図面である。図３を参照すると、本発明に係る第２次情報タグ入力装置１０は入力装置１１、保存装置１３、処理および統制装置１２、表示装置１４から構成され、入力された第２次情報タグを保存装置に保存して管理し、必要時にアクセスしてＲＳ２３２/４２２ポートに送り出す役割をする。
なお、表２のアイテムをデータベースに構成して管理するか、表５の送出時間帯やプログラムを基準にタグをグルーピングして呼び出したり、個別単位で呼び出すことができる。
【００３３】
再び図３を参照すると、本発明に係る第２次情報タグ挿入装置２０は、イコライザー２２、直列→並列変換装置２３、インベダー(embedder)２４、並列→直列変換装置２５、プロセッサ２１およびケーブルドライバ２６で構成されている。
【００３４】
同軸ケーブルから伝達されるシリアルデジタル信号の補助データ領域にオーディオ信号を挿入することをインベディング(embedding)または多重化(multiplex)と言い、分離することをディインベディング(de-embedding)または逆多重化(de-multiplex)と言う。放送の素材は製作場所から送出場所にテープの形態で伝達されるか、通信網を介して移送されるので、本発明は第２次情報タグを補助データ領域にインベディングされるオーディオ信号のように素材に装入して伝達する方法を提示する。
【００３５】
上述した第２次情報タグはシリアルデジタル信号に音声データのように挿入されるために二つの段階を経る。そのうち第１段階は第２次情報タグ情報をシリアルデジタルオーディオ信号の規格のＡＥＳ３に変換する段階である。ＳＭＰＴＥ
３３７Ｍの標準は一般的なデータをシリアルデジタルオーディオ信号の規格のＡＥＳ３に変換する形式を規定している。タグ情報は図３のプロセッサ２１でＳＭＰＴＥ ３３７Ｍに従ってＡＥＳ３の形態に変換される。
【００３６】
第２段階はＡＥＳ３信号をシリアルデジタル信号に挿入する過程であり、ＡＥＳ３の形態に変換された第２次情報タグはＳＭＰＴＥ
２７２ＭとＳＭＰＴＥ ２９９Ｍに従ってシリアルデジタル信号の補助データ領域に挿入される。ＳＭＰＴＥ ２７２Ｍは標準画質(SD；Standard Definition)の直列デジタル信号(SDI：Serial  Digital  Interface)、ＳＭＰＴＥ２９９Ｍは高画質(ＨＤ)の直列デジタル信号に対するインベディングの規格である。この際、挿入される位置、つまりグループＩＤとオーディオチャンネルの番号は使用者が選択可能である。図３でイコライザーは入力信号の大きさを補正する装置である。
【００３７】
製作された放送の素材はその性格によって伝達/伝送される。例えば、広告の素材は広告代行社を介してテープの形態で放送社に伝達されるか、コンピュータファイルで作成され、通信網を介して伝送されることもできる。何れの場合も第２次情報タグを補助データ領域に挿入して第２次情報タグ加工装置、即ち、データ放送コンテンツを著作する段階に伝達することはタグの伝達過程を自動化する。
【００３８】
放送局内でも最終の編集が完了した素材はテープの形態で伝達されたり、社内の高速通信網(マルチメディアデータの伝送網)を介して送出装備に伝達される。第２次情報タグの運用のために別途の遊休オーディオチャンネルを割り当てる場合、第２次情報タグを用いた連動型データ放送の関連したプロセスを単純化して効率化を図ることができる。
【００３９】
図４は本発明に係る第２次情報タグ抽出装置および第２次情報タグ加工装置の構成を示す図面である。図４を参照すると、第２次情報タグ抽出装置７０は、イコライザー７１、直列→並列変換装置７２、ディインベダー７３、並列→直列変換装置７４、プロセッサ７６およびケーブルドライバー７５で構成されている。本発明に係る第２次情報タグ抽出装置７０はシリアルデジタル信号ＳＤＩ(ｂ)の補助データ領域に装入されていた第２次情報タグを分離し、ＡＥＳ３規格の信号に分離した後、ＳＭＰＴＥ  ３３７Ｍの逆方向アルゴリズムに従って第２次情報入力装置と同じ形態のテキストデータに変換する。
【００４０】
一方、図４に示した第２次情報タグ加工装置８０は入力装置８１、処理および統制装置８２、保存装置８３、出力装置８４および表示装置８５で構成され、第２次情報タグ抽出装置７０から伝送されるか、入力装置８１を介して入力されたテキストベースの第２次情報タグをデータ放送用コンテンツに変換して、保存装置８３又は/及びデータ放送コンテンツデータベース(ＤＢ)１００に伝送する。必要時には保存装置から特定のタグを呼び出してデータ放送ＤＢに送ることができる。
【００４１】
第２次情報タグ加工装置内の入力装置は、製作段階で落ちているか送出段階で変更する内容を表２のように構成した第２次情報タグのアイテム別の内容に従って入力したり修正するための装置である。
【００４２】
図５は第２次情報加工装置が第２次情報タグをデータ放送コンテンツに加工する過程を示している。テキストベースの第２次情報タグをデータ放送コンテンツに変換することは、図７ｂに示すように、第２次情報代表名の指定子(selection：選択のために形象化したアイコン)を作り、その指定子を選択した時、付属する選択アイコン(‘付加情報ホーム’，‘インターネットホーム’)を画面に表出させることを含めて応用プログラムが実行する一連の動作と処理過程を放送媒体別のデータ放送の規格に従ってその技術言語
(ＪＡＶＡ，ＨＴＭＬ，ＸＭＬ，ＡＰＩｓなど)に定義することである。
【００４３】
本発明の好ましい実施例として、指定子のディスクリプタ作成の内容は第２次情報フラッグの区分によって下記の表６のように４つの種類に示すことができる。
【表６】
2008522456.tif 000008
【００４４】
図７ｂおよび図７ｃは本発明の好ましい実施例によってデータ放送が呼び出された後モニターに現れる第２次情報の一実施例を示す図面である。
受信機の画面で第２次情報代表名の指定子は、図７ｂのように、画面の下端に水平方向に重ね合わして表示され、付属指定子(‘付加情報ホーム’,‘インターネットホーム’)は第２次情報代表名の指定子が選択された時、その代表名の下に垂直方向に重ね合わして表示されるようにディスクリプタは記述される。付属アイコンのインターネットホームが選択された場合、第２次情報タグが有しているインターネットホームページの住所を適用してＵＲＬ(http://...)検索が実行される。また、付加情報ホームのアイコンが選択された場合にはデータ放送の規格に合わせてＵＲＬ(acap://...又はocap：//...又はmhp://...)に連結される。
【００４５】
受信機画面の構成例として図７ｃのようにＰＩＰ(Picture in Picture)の形態で実時間の放送画面を４分割画面の右側の上端に縮めて配置し、第２次情報の内容は‘Ｌ’字型に配置することが一般的である。しかし、２次画面または２次画面でメニューを選択して移動した３次画面は第２次情報サーバの内容のみを全体の画面に表現することもできる。画面の構成方法、メニュー移動、検索終了などは受信機操作装置の‘ＲＥＤ’、‘ＧＲＥＥＮ’、‘ＹＥＬＬＯＷ’および‘ＢＬＵＥ’ボタンによって実行することが好ましい。
【００４６】
第２次情報タグ加工装置内の保存装置に保存されるデータのアイテムテーブルは表７の通りである。
【表７】
2008522456.tif 000009
第２次情報抽出装置から移送されたデータは実時間で加工され、データ放送ＤＢに送られ、自体に入力されたり保存装置から呼び出されたデータは別の操作によってデータ放送ＤＢに送られる。
【００４７】
図８は放送を視聴している視聴者が本発明に従って最初の画面で指定子を発見し、第２位情報サーバとのネットワーク連結を実行して詳細情報を検索する一連の過程を示す図面である。図９を参照すると、デジタル放送が受信されると、デジタル放送受信機、つまりセットトップボックスはデータプロトコルデコーダー２６０を介して連動型データがあることを解読し、この場合、マルチメディアプロセッサ２９０と映像出力装置３００を介して第２次情報があることを図７ａに示すように最初の画面の指定子(アイコン)で表示する。
【００４８】
一方、これを映像出力装置３００を介して視聴していた視聴者は遠隔調整装置３４０を用いて第２次情報を要請し、受信機の中央処理装置２５０は関連ブラウザなどの応用プログラムを実行させ、ネットワークインタフェースカード２７０を介して第２次情報サーバ２８０を呼び出す。次いで、第２次情報サーバ２８０が送出するデータストリームはデータ放送ミドルウェア２６０を経て図７ｃのように映像出力装置３００に第２次画面で現れる。
【００４９】
デジタル放送用受信機は代表的に放送専用受信機のセットトップボックスと、ＴＶ受信カードを内装したコンピュータとがある。両方とも先に受信機の画面で所望する第２次情報の代表名を選択し、セットトップボックスの利用者は付属指定子のうち‘付加情報ホーム’を、ＰＣ利用者は‘インターネットホーム’を選択して、受信機に内装されている関連したミドルウェアと検索プログラムを動作させる。
【００５０】
データ放送を呼び出して指定子を移動、選択、実行することは図１０に示すような一般的な受信機によるコントローラおよびリモコンによって行う。
【００５１】
図１１はＤＶＢ−ＭＨＰ(Digital Video Broadcasting-Multimedia Home Platform)と、それと類似した幾つのデータ放送プロトコルとの間の相関関係を示している。図においてＧＥＭ(Globally Executable MHP)はＭＨＰの一部分として、ＯＣＡＰ(OpenCable Application Platform)およびＡＣＡＰ(Advanced Common Application Platform)プロトコルに共通的に規定され、相互に互換可能な部分である。     
【００５２】
データ放送プロトコルは国家別、媒体別に多様な形態が存在し、今後も多くの新たな規格が生じられ得る。本発明の中心思想はデータ放送をインターネット領域に拡張する方法に関するもので、そのプロトコルは特定の規格に限定されるものではない。
【００５３】
また、以上の説明は本発明を例示的に説明したものにすぎず、本発明の属する技術分野で通常の知識を有する者であれば本発明の本質的な特性から外れない範囲内で多様な変形が可能であろう。したがって、本明細書に開示された実施例は本発明を限定するためのものではなく、この様な実施例によって本発明の思想と範囲が限定されるわけではない。
【産業上の利用可能性】
【００５４】
以上のように、本発明はデジタル放送環境においてインタラクティブ広告を提供することによって広告の効果を増大させる。即ち、現在の放送広告は約２０秒の間に視聴者に見られる一回性の広告であり、より詳細な情報を視聴者が得るためにはインターネットや他の媒体を検索しなければならない。
【００５５】
本発明によってインタラクティブ広告を実現すると、特定の広告が放送される時に受信機(リモコン)を操作して第２次情報を検索することでその広告に対する多様な内容を検索することができる。インターネットホームページをそのまま検索したり、データ放送の規格に合わせて別に製作された付加情報ホームページを検索することができる。例えば、車両広告の場合、その車両の価格情報、インテリア、外観、性能などを検索したり、電子商取引に連結させることもできる。
【００５６】
また、本発明は連動型データ放送の情報領域を拡張できるという効果がある。即ち、放送者が放送する特定の内容に対して詳細な情報をやりとりする時にも有用である。
食べ物を紹介する場合、その飲食店に対する情報がさらに提供されたり、ドキュメンタリや歴史劇、スポーツ放送の場合にも製作者が第２次情報サーバの住所などを視聴者に提供することによって、視聴者は放送を見ながら知りたい内容を検索して見ることができる。
【００５７】
本発明は連動型データ放送と広告サービスの製作過程を一括して効率化するという効果がある。即ち、一般的に放送社の製作空間と、伝送のための送出空間とは別に分離されている。連動型データ放送を送り出すためにはプログラムの製作者がプログラムとデータ放送の同期のためにデータ放送の著作ばかりでなく、送出においても介入しなければならない。本発明は製作者が製作の段階でデータ放送を連動しようとする位置に第２次情報タグを挿入することでその様な作業を完了することができる。特に、広告の場合には広告の製作社や代行社で第２次情報タグを広告の素材に入力することでデータ放送の連動に必要な作業を完了することができ、必要な業務を効率化することができる。
【図面の簡単な説明】
【００５８】
【図１】本発明に係る第２次情報サーバの住所など、関連情報を含んでいる第２次情報タグを広告主やプログラムの製作者からデータ放送の著作段階に送り、前記タグを連動型データ放送のコンテンツに加工して送出する全体の過程を示す図面である。
【図２】本発明に係るコンポナントデジタル放送信号の補助データ空間を示す図面である。
【図３】本発明に係る第２次情報タグ入力装置と第２次情報タグ挿入装置の構成を示す図面である。
【図４】本発明に係る第２次情報タグ抽出装置および第２次情報タグ加工装置の構成を示す図面である。
【図５】本発明に係る第２次情報タグをデータ放送およびコンテンツに加工して著作する過程を示す図面である。
【図６】本発明によって映像出力装置(モニター)に表現する指定子およびメニューの体系を示す図面である。
【図７Ａ】本発明の好ましい実施例として、最初の画面、１次画面、２次画面を構成した形態と指定子を示す図面である。
【図７Ｂ】本発明の好ましい実施例として、最初の画面、１次画面、２次画面を構成した形態と指定子を示す図面である。
【図７Ｃ】本発明の好ましい実施例として、最初の画面、１次画面、２次画面を構成した形態と指定子を示す図面であって、特に第２次情報の呼出によって視聴者に提供されるインタラクティブ広告画面の一つの実施形態を示す図面である。
【図８】本発明によって視聴者が第２次情報を検索する過程を示す図面である。
【図９】デジタル放送受信機の一般的な構成例として、第２次情報を検索して処理する部分を示す図面である。
【図１０】現在販売されているデジタル放送受信機(テレビジョン)リモコンのデータ放送操作部の形態として、本発明の好ましい実施例によって適用されるリモコンの一つの実施形態を示す図面である。
【図１１】現在使用されている幾つのデータ放送プロトコルの間の相関関係を示すものであって、本発明の好ましい実施例によって適用され得るデータプロトコルの一例を示す図面である。
【図１】
2008522456.tif 000010
【図２】
2008522456.tif 000011
【図３】
2008522456.tif 000012
【図４】
2008522456.tif 000013
【図５】
2008522456.tif 000014
【図６】
2008522456.tif 000015
【図７Ａ】
2008522456.tif 000016
【図７Ｂ】
2008522456.tif 000017
【図７Ｃ】
2008522456.tif 000018
【図８】
2008522456.tif 000019
【図９】
2008522456.tif 000020
【図１０】
2008522456.tif 000021
【図１１】
2008522456.tif 000022
【国際調査報告】
2008522456.tif 000023
2008522456.tif 000024